(57)【要約】      （修正有）【課題】複数の冊子の表紙を覆うことができ、順次カバーで覆われた冊子を見開き、閲覧することができる表紙のカバーを提供する。【解決手段】表紙カバー１は、カバー本体の表面１６側に第１表紙カバー部１２が形成され、カバー本体の裏面１８側に第２表紙カバー部１４が形成され、被覆体が装填された第１表紙カバー部１２の第１折曲部２２においてカバー本体１０の表面側から見て被覆体の綴じ部２０６とともに谷折りして第１表紙カバー部１２の第１表表紙部と第１表紙カバー部１２の第１裏表紙部とを向き合わせるとともに、第２表紙カバー部１４の第２折曲部６２においてカバー本体１０の裏面側から見て谷折りして第２表紙カバー部１４の第２表表紙部と第２表紙カバー部１４の第２裏表紙部とを向き合わせ、Ｚ字状にし、第１表紙カバー部１２の第１表表紙部の裏面側が表紙カバー１の表面となり、第２表紙カバー部１４の第２表表紙部の裏面側が表紙カバー１の裏面となる。【選択図】図８Ｂ
0003196420.tif 000002
【実用新案登録請求の範囲】
【請求項１】
カバー本体の表面側に第１表紙カバー部が形成され、
カバー本体の裏面側に第２表紙カバー部が形成され、
第１表紙カバー部は、カバー本体の長手方向の一方端から、表表紙部と折曲部と裏表紙部とが連続して形成され、
第２表紙カバー部は、かバ−本体の長手方向の他方端から、表表紙部と折曲部と裏表紙部とが連続して形成され、
第１表紙カバー部の折曲部は、カバー本体の表面側において、且つ、第２表紙カバーの折曲部はカバー本体の裏面側において、それぞれが第１表紙カバー部および第２表紙カバー部における同じ領域に形成され、
カバー本体の表面側に、長手方向の一方端側に第１表紙カバー部に在る被覆体の表表紙又は裏表紙を入れるための第１端表紙ポケット部が付設され、
カバー本体の表面側に、第２表紙カバー部の折曲部の形成された領域に第１表紙カバー部に在る被覆体の表表紙又は裏表紙を入れるための第１内表紙ポケット部が付設され、
カバー本体の裏面側に、長手方向の他方端側に第２表紙カバー部に在る被覆体の表表紙又は裏表紙を入れるための第２端表紙ポケット部が付設され、
カバー本体の裏面側に、第１表紙カバー部の折曲部の形成された領域に第２表紙カバー部に在る被覆体の裏表紙又は表表紙を入れるための第２内表紙ポケット部が付設され、
第１表紙カバー部の折曲部においてカバー本体の表面側から見て被覆体の背とともに谷折りして第１端表紙ポケット部と第１内表紙ポケット部とが接し合うとともに、第２表紙カバー部の折曲部においてカバー本体の裏面側から見て被覆体の背とともに谷折りして第２端表紙ポケット部と第２内表紙ポケット部とが接し合い、第１表紙カバー部の表表紙部又は裏表紙部の裏面側が表紙カバーの表面となり、第２表紙カバー部の表表紙部又は裏表紙部の裏面側が表紙カバーの裏面となる、
表紙カバー。
【請求項２】
カバー本体は、平面視略方形又は長方形である第１表紙カバー部の表表紙部及び裏表紙部並びに第２表紙カバー部の表表紙部及び裏表紙部が平面視略方形又は長方形であり、カバー本体は、第１表紙カバー部の表表紙部及び裏表紙部並びに第２表紙カバー部の表表紙部を合わせた平面視略方形又は長方形である、請求項１に記載の表紙カバー。
【請求項３】
カバー本体は、その長手方向の長さが、第１表紙カバー部に在る表表紙の幅及び裏表紙の幅と、第２表紙カバー部に在る被覆体の裏表紙の幅との和である、請求項１又は２に記載の表紙カバー。
【請求項４】
カバー本体は、第１表紙カバー部の折曲部及び第２表紙カバー部の折曲部によって区切られ、
第１表紙カバー部の折曲部は、第２表紙カバー部の折曲部よりカバー本体の一方端寄りであって、カバー本体の一方端と交差する上端から他端に亘って形成され、
第２表紙カバー部の折曲部は、第１表紙カバー部の折曲部よりカバー本体の他方端寄りであって、カバー本体の他方端と交差する上端から他端に亘って形成され、
第１表紙カバー部の一方端及び折曲部並びに第２表紙カバー部の他方端及び背表紙は、略平行の線状であり、
カバー本体の一方端及び他方端と交差する上端と下端とは、略平行の直線状である、請求項１ないし３のいずれかに記載の表紙カバー。
【請求項５】
カバー本体は、柔軟な合成樹脂シートからなり、
第１端表紙ポケット部は、柔軟な合成樹脂シートからなり、表表紙又は裏表紙の差し込み口を構成する内側縁を残して外周縁をカバー本体の表面側の一方端の内側並びに一方端に続く外周縁の内側に熱溶着され又は連続され、
第１内表紙ポケット部は、柔軟な合成樹脂シートからなり、裏表紙又は表表紙の差し込み口を形成する内側縁を残し外周縁をカバー本体の表面側の上端から下端に亘って並びに上端の内側に熱溶着され又は連続され、
第２端表紙ポケット部は、柔軟な合成樹脂シートからなり、表表紙又は裏表紙の差し込み口を構成する内側縁を残して外周縁をカバー本体の裏面側の他方端の内側並びに他方端に続く外周縁の内側に熱溶着され又は連続され、
第２内表紙ポケット部は、柔軟な合成樹脂シートからなり、裏表紙又は表表紙の差し込み口を形成する内側縁を残し外周縁をカバー本体の裏面側の上端から下端に亘って並びに上端の内側に熱溶着され又は連続された、請求項１ないし４のいずれかに記載の表紙カバー。
【請求項６】
カバー本体は、柔軟な合成樹脂シート、紙又は布で形成された、請求項１ないし５のいずれかに記載の表紙カバー。
【請求項７】
平面視略長方形の柔軟な合成樹脂シートからなるカバー本体の表面側に平面視略長方形又は方形の第１表紙カバー部が形成され、
前記カバー本体の裏面側に平面視略長方形又は方形の第２表紙カバー部が形成され、
前記第１表紙カバー部は、カバー本体の長手方向の一方端から、平面視長方形又は方形の表表紙部と平面視長方形又は方形の折曲部と平面視長方形又は方形の裏表紙部とが連続して形成され、
前記第２表紙カバー部は、かバ−本体の長手方向の他方端から、平面視長方形又は方形の表表紙部と平面視長方形又は方形の折曲部と平面視長方形又は方形の裏表紙部が連続して形成され、
第１表紙カバー部の折曲部は、カバー本体の表面側において、且つ、第２表紙カバーの折曲部は、カバー本体の裏面側において、それぞれが第１表紙カバー部および第２表紙カバー部における同じ領域に形成され、
カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、
カバー本体の表面側に、第２表紙カバー部の折曲部の形成された領域に第１表紙カバー部に在る被覆体の裏表紙又は表表紙を入れるための第１内表紙ポケット部が付設され、
カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、
カバー本体の裏面側に、第１表紙カバー部の折曲部の形成された領域に第２表紙カバー部に在る被覆体の裏表紙又は表表紙又は裏表紙を入れるための第２内表紙ポケット部が付設され、
第１表紙カバー部に在る被覆体の表表紙又は裏表紙を第１端表紙ポケット部とカバー本体の表面側との間に挿入され、
第１表紙カバー部に在る被覆体の裏表紙又は表表紙を第１内表紙ポケット部とカバー本体の表面側との間に挿入され、
第２表紙カバー部に在る被覆体の表表紙又は裏表紙を第２端表紙ポケット部とカバー本体の表面側との間に挿入され、
第２表紙カバー部に在る被覆体の裏表紙又は表表紙を第２内表紙ポケット部とカバー本体の表面側との間に挿入され、
被覆体が装？された第１表紙カバー部の折曲部においてカバー本体の表面側から見て被覆体の背とともに谷折りして第１端表紙ポケット部と第１内表紙ポケット部とが接し合うとともに、第２表紙カバー部の折曲部においてカバー本体の裏面側から見て谷折りして第２端表紙ポケット部と第２内表紙ポケット部とが接し合い、第１表紙カバー部の表表紙部又は裏表紙部の裏面側が表紙カバーの表面となり、第２表紙カバー部の表表紙部又は裏表紙部の裏面側が表紙カバーの裏面となる、
表紙カバー。
【請求項８】
平面視略長方形の柔軟な合成樹脂シートからなるカバー本体の表面側に平面視略長方形又は方形の第１表紙カバー部が形成され、
前記カバー本体の裏面側に平面視略長方形又は方形の第２表紙カバー部が形成され、
前記第１表紙カバー部は、カバー本体の長手方向の一方端から、平面視長方形又は方形の表表紙部と平面視長方形又は方形の折曲部と平面視長方形又は方形の裏表紙部とが連続して形成され、
前記第２表紙カバー部は、カバ−本体の長手方向の他方端から、平面視長方形又は方形の表表紙部と平面視長方形又は方形の折曲部と平面視長方形又は方形の裏表紙部が連続して形成され、
第１表紙カバー部の折曲部は、カバー本体の表面側において、第１表紙カバー部の領域の中央において形成され、且つ、第２表紙カバーの折曲部は、カバー本体の裏面側において、第２表紙カバー部の領域の中央において形成され、
カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、
カバー本体の表面側に、第２表紙カバー部の折曲部の形成された領域に第１表紙カバー部に在る被覆体の裏表紙又は表表紙を入れるための第１内表紙ポケット部が付設され、
カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、
カバー本体の裏面側に、第１表紙カバー部の折曲部の形成された領域に第２表紙カバー部に在る被覆体の裏表紙又は表表紙又は裏表紙を入れるための第２内表紙ポケット部が付設され、
第１表紙カバー部の折曲部は、第２表紙カバー部の第１内表紙ポケット部が形成された領域に位置し、
第２表紙カバー部の折曲部は、第１表紙カバー部の第２内表紙ポケット部が形成された領域に位置し、
第１端表紙ポケット部の開口端縁と第１内表紙ポケット部の開口端縁とが対向し、
第２端表紙ポケット部の開口端縁と第２内表紙ポケット部の開口端縁とが対向し、
第１表紙カバー部に在る被覆体の表表紙又は裏表紙を第１端表紙ポケット部とカバー本体の表面側との間に挿入され、
第１表紙カバー部に在る被覆体の裏表紙又は表表紙を第１内表紙ポケット部とカバー本体の表面側との間に挿入され、
第２表紙カバー部に在る被覆体の表表紙又は裏表紙を第２端表紙ポケット部とカバー本体の表面側との間に挿入され、
第２表紙カバー部に在る被覆体の裏表紙又は表表紙を第２内表紙ポケット部とカバー本体の表面側との間に挿入され、
被覆体が装？された第１表紙カバー部の折曲部においてカバー本体の表面側から見て被覆体の綴じ部とともに谷折りして第１表紙カバー部の表表紙部と第１表紙カバー部の裏表紙部とを向き合わせるとともに、第２表紙カバー部の折曲部においてカバー本体の裏面側から見て谷折りして第２表紙カバー部の表表紙部と第２表紙カバー部の裏表紙部とを向き合わせ、Ｚ字状にし、第１表紙カバー部の表表紙部又は裏表紙部の裏面側が表紙カバーの表面となり、第２表紙カバー部の表表紙部又は裏表紙部の裏面側が表紙カバーの裏面となる、
表紙カバー。
【請求項９】
カバー本体は、柔軟な合成樹脂シートからなり、
第１端表紙ポケット部は、柔軟な合成樹脂シートからなり、表表紙又は裏表紙の差し込み口を構成する内側縁を残して外周縁をカバー本体の表面側の一方端の内側並びに一方端に続く外周縁の内側に熱溶着され又は連続され、
第１内表紙ポケット部は、柔軟な合成樹脂シートからなり、裏表紙又は表表紙の差し込み口を形成する内側縁を残し外周縁をカバー本体の表面側の上端から下端に亘って並びに上端の内側に熱溶着され又は連続され、
第２端表紙ポケット部は、柔軟な合成樹脂シートからなり、表表紙又は裏表紙の差し込み口を構成する内側縁を残して外周縁をカバー本体の裏面側の他方端の内側並びに他方端に続く外周縁の内側に熱溶着され又は連続され、
第２内表紙ポケット部は、柔軟な合成樹脂シートからなり、裏表紙又は表表紙の差し込み口を形成する内側縁を残し外周縁をカバー本体の裏面側の上端から下端に亘って並びに上端の内側に熱溶着され又は連続された、請求項８に記載の表紙カバー。
【請求項１０】
平面視略長方形の柔軟な合成樹脂シートからなるカバー本体の表面側に平面視略長方形又は方形の第１表紙カバー部が形成され、
前記カバー本体の裏面側に平面視略長方形又は方形の第２表紙カバー部が形成され、
前記第１表紙カバー部は、カバー本体の長手方向の一方端から、平面視長方形又は方形の表表紙部と平面視長方形又は方形の折曲部と平面視長方形又は方形の裏表紙部とが連続して形成され、
前記第２表紙カバー部は、カバー本体の長手方向の他方端から、平面視長方形又は方形の表表紙部と平面視長方形又は方形の折曲部と平面視長方形又は方形の裏表紙部が連続して形成され、
第１表紙カバー部の折曲部は、カバー本体の表面側において、第１表紙カバー部の領域の中央において形成され、且つ、第２表紙カバーの折曲部は、カバー本体の裏面側において、第２表紙カバー部の領域の中央において形成され、領域に形成され、
カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、
カバー本体の表面側に、第２表紙カバー部の折曲部の形成された領域に第１表紙カバー部に在る被覆体の裏表紙又は表表紙を入れるための第１内表紙ポケット部が付設され、
カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、
カバー本体の裏面側に、第１表紙カバー部の折曲部の形成された領域に第２表紙カバー部に在る被覆体の裏表紙又は表表紙又は裏表紙を入れるための第２内表紙ポケット部が付設され、
第１表紙カバー部の折曲部は、第２表紙カバー部の第１内表紙ポケット部が形成された領域に位置し、
第２表紙カバー部の折曲部は、第１表紙カバー部の第２内表紙ポケット部が形成された領域に位置し、
第１端表紙ポケット部は、表表紙又は裏表紙の差し込み口を構成する内側縁を残して外周縁をカバー本体の表面側の一方端の内側並びに一方端に続く外周縁の内側に熱溶着され又は連続され、
第１内表紙ポケット部は、裏表紙又は表表紙の差し込み口を形成する内側縁を残し外周縁をカバー本体の表面側の上端から下端に亘って並びに上端の内側に熱溶着され又は連続され、
第２端表紙ポケット部は、表表紙又は裏表紙の差し込み口を構成する内側縁を残して外周縁をカバー本体の裏面側の他方端の内側並びに他方端に続く外周縁の内側に熱溶着され又は連続され、
第２内表紙ポケット部は、裏表紙又は表表紙の差し込み口を形成する内側縁を残し外周縁をカバー本体の裏面側の上端から下端に亘って並びに上端の内側に熱溶着され又は連続され、
第１端表紙ポケット部の差し込み口と第１内表紙ポケット部の差し込み口とが対向し、
第２端表紙ポケット部の差し込み口と第２内表紙ポケット部の差し込み口とが対向し、
第１表紙カバー部に在る被覆体の表表紙又は裏表紙を第１端表紙ポケット部とカバー本体の表面側との間に挿入され、
第１表紙カバー部に在る被覆体の裏表紙又は表表紙を第１内表紙ポケット部とカバー本体の表面側との間に挿入され、
第２表紙カバー部に在る被覆体の表表紙又は裏表紙を第２端表紙ポケット部とカバー本体の表面側との間に挿入され、
第２表紙カバー部に在る被覆体の裏表紙又は表表紙を第２内表紙ポケット部とカバー本体の表面側との間に挿入され、
被覆体が装？された第１表紙カバー部の折曲部においてカバー本体の表面側から見て被覆体の綴じ部とともに谷折りして第１表紙カバー部の表表紙部と第１表紙カバー部の裏表紙部とを向き合わせるとともに、第２表紙カバー部の折曲部においてカバー本体の裏面側から見て谷折りして第２表紙カバー部の表表紙部と第２表紙カバー部の裏表紙部とを向き合わせ、Ｚ字状にし、第１表紙カバー部の表表紙部又は裏表紙部の裏面側が表紙カバーの表面となり、第２表紙カバー部の表表紙部又は裏表紙部の裏面側が表紙カバーの裏面となる、
表紙カバー。
【考案の詳細な説明】
【技術分野】
【０００１】
本考案は、表紙カバーに関し、特に、カタログ、書籍、雑誌、ノート等の冊子の表紙のカバーに関する。
【背景技術】
【０００２】
書籍等の表紙のカバーは、プラスティック、紙、皮革等のシート製であり、カタログ、本やノート等の冊子の表紙に装着されて、冊子を保護し、冊子の破損と汚れを防止する。冊子カバーは、一般に、表表紙カバー部と背表紙カバー部と裏表紙カバー部からなり、それぞれ冊子の表表紙と背表紙と裏表紙を覆う構造を備える。また、冊子に装着した後、冊子から不用意に外れないようにするため、冊子の表紙を挿入する内ポケット構造を設ける等の工夫が施されている態様が多い。
【先行技術文献】
【特許文献】
【０００３】
【特許文献１】特開２０１２−２３２５１６号公報
【特許文献２】特開２０１３−１０３４３５号公報
【考案の概要】
【考案が解決しようとする課題】
【０００４】
しかし、従来の表紙カバーでは、一冊の冊子の表紙をカバーできるに過ぎない。
例えば、前のノートに書いたことを確認したいとき、もうひとつのカタログを忘れてしまったとき、複数の冊子を一つのカバーで保護でき、且つ、順次カバーで覆われた冊子を見開き、閲覧することができる表紙のカバーが望まれている。
【０００５】
本考案の主たる目的は、複数の冊子の表紙を覆うことができ、順次カバーで覆われた冊子を見開き、閲覧することができる表紙のカバーを提供することである。
【課題を解決するための手段】
【０００６】
本考案の表紙カバーは、カバー本体の表面側に第１表紙カバー部が形成され、カバー本体の裏面側に第２表紙カバー部が形成され、第１表紙カバー部は、カバー本体の長手方向の一方端から、表表紙部と折曲部と裏表紙部とが連続して形成され、第２表紙カバー部は、かバ−本体の長手方向の他方端から、表表紙部と折曲部と裏表紙部とが連続して形成され、第１表紙カバー部の折曲部は、カバー本体の表面側において、且つ、第２表紙カバーの折曲部はカバー本体の裏面側において、それぞれが第１表紙カバー部および第２表紙カバー部における同じ領域に形成され、カバー本体の表面側に、長手方向の一方端側に第１表紙カバー部に在る被覆体の表表紙又は裏表紙を入れるための第１端表紙ポケット部が付設され、カバー本体の表面側に、第２表紙カバー部の折曲部の形成された領域に第１表紙カバー部に在る被覆体の表表紙又は裏表紙を入れるための第１内表紙ポケット部が付設され、カバー本体の裏面側に、長手方向の他方端側に第２表紙カバー部に在る被覆体の表表紙又は裏表紙を入れるための第２端表紙ポケット部が付設され、カバー本体の裏面側に、第１表紙カバー部の折曲部の形成された領域に第２表紙カバー部に在る被覆体の裏表紙又は表表紙を入れるための第２内表紙ポケット部が付設され、第１表紙カバー部の折曲部においてカバー本体の表面側から見て被覆体の背とともに谷折りして第１端表紙ポケット部と第１内表紙ポケット部とが接し合うとともに、第２表紙カバー部の折曲部においてカバー本体の裏面側から見て被覆体の背とともに谷折りして第２端表紙ポケット部と第２内表紙ポケット部とが接し合い、第１表紙カバー部の表表紙部又は裏表紙部の裏面側が表紙カバーの表面となり、第２表紙カバー部の表表紙部又は裏表紙部の裏面側が表紙カバーの裏面となる、表紙カバーである。
この考案の請求項２にかかるカバーは、カバー本体は、平面視略方形又は長方形である第１表紙カバー部の表表紙部及び裏表紙部並びに第２表紙カバー部の表表紙部及び裏表紙部が平面視略方形又は長方形であり、カバー本体は、第１表紙カバー部の表表紙部及び裏表紙部並びに第２表紙カバー部の表表紙部を合わせた平面視略方形又は長方形である、請求項１に記載の表紙カバーである。
この考案の請求項３にかかるカバーは、カバー本体は、その長手方向の長さが、第１表紙カバー部に在る表表紙の幅及び裏表紙の幅と、第２表紙カバー部に在る被覆体の裏表紙の幅との和である、請求項１又は２に記載の表紙カバーである。
この考案の請求項４にかかるカバーは、カバー本体は、第１表紙カバー部の折曲部及び第２表紙カバー部の折曲部によって区切られ、第１表紙カバー部の折曲部は、第２表紙カバー部の折曲部よりカバー本体の一方端寄りであって、カバー本体の一方端と交差する上端から他端に亘って形成され、第２表紙カバー部の折曲部は、第１表紙カバー部の折曲部よりカバー本体の他方端寄りであって、カバー本体の他方端と交差する上端から他端に亘って形成され、第１表紙カバー部の一方端及び折曲部並びに第２表紙カバー部の他方端及び背表紙は、略平行の線状であり、カバー本体の一方端及び他方端と交差する上端と下端とは、略平行の直線状である、請求項１ないし３のいずれかに記載の表紙カバーである。
この考案の請求項５にかかるカバーにおいては、  カバー本体は、柔軟な合成樹脂シートからなり、第１端表紙ポケット部は、柔軟な合成樹脂シートからなり、表表紙又は裏表紙の差し込み口を構成する内側縁を残して外周縁をカバー本体の表面側の一方端の内側並びに一方端に続く外周縁の内側に熱溶着され又は連続され、第１内表紙ポケット部は、柔軟な合成樹脂シートからなり、裏表紙又は表表紙の差し込み口を形成する内側縁を残し外周縁をカバー本体の表面側の上端から下端に亘って並びに上端の内側に熱溶着され又は連続され、第２端表紙ポケット部は、柔軟な合成樹脂シートからなり、表表紙又は裏表紙の差し込み口を構成する内側縁を残して外周縁をカバー本体の裏面側の他方端の内側並びに他方端に続く外周縁の内側に熱溶着され又は連続され、第２内表紙ポケット部は、柔軟な合成樹脂シートからなり、裏表紙又は表表紙の差し込み口を形成する内側縁を残し外周縁をカバー本体の裏面側の上端から下端に亘って並びに上端の内側に熱溶着され又は連続された、請求項１ないし４のいずれかに記載の表紙カバーである。
この考案の請求項６にかかるカバーは、カバー本体は、柔軟な合成樹脂シート、紙又は布で形成された、請求項１ないし５のいずれかに記載の表紙カバーである。
この考案の請求項７にかかるカバーは、平面視略長方形の柔軟な合成樹脂シートからなるカバー本体の表面側に平面視略長方形又は方形の第１表紙カバー部が形成され、前記カバー本体の裏面側に平面視略長方形又は方形の第２表紙カバー部が形成され、
前記第１表紙カバー部は、カバー本体の長手方向の一方端から、平面視長方形又は方形の表表紙部と平面視長方形又は方形の折曲部と平面視長方形又は方形の裏表紙部とが連続して形成され、前記第２表紙カバー部は、かバ−本体の長手方向の他方端から、平面視長方形又は方形の表表紙部と平面視長方形又は方形の折曲部と平面視長方形又は方形の裏表紙部が連続して形成され、第１表紙カバー部の折曲部は、カバー本体の表面側において、且つ、第２表紙カバーの折曲部は、カバー本体の裏面側において、それぞれが第１表紙カバー部および第２表紙カバー部における同じ領域に形成され、カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、カバー本体の表面側に、第２表紙カバー部の折曲部の形成された領域に第１表紙カバー部に在る被覆体の裏表紙又は表表紙を入れるための第１内表紙ポケット部が付設され、カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、カバー本体の裏面側に、第１表紙カバー部の折曲部の形成された領域に第２表紙カバー部に在る被覆体の裏表紙又は表表紙又は裏表紙を入れるための第２内表紙ポケット部が付設され、第１表紙カバー部に在る被覆体の表表紙又は裏表紙を第１端表紙ポケット部とカバー本体の表面側との間に挿入され、第１表紙カバー部に在る被覆体の裏表紙又は表表紙を第１内表紙ポケット部とカバー本体の表面側との間に挿入され、第２表紙カバー部に在る被覆体の表表紙又は裏表紙を第２端表紙ポケット部とカバー本体の表面側との間に挿入され、第２表紙カバー部に在る被覆体の裏表紙又は表表紙を第２内表紙ポケット部とカバー本体の表面側との間に挿入され、被覆体が装填された第１表紙カバー部の折曲部においてカバー本体の表面側から見て被覆体の背とともに谷折りして第１端表紙ポケット部と第１内表紙ポケット部とが接し合うとともに、第２表紙カバー部の折曲部においてカバー本体の裏面側から見て谷折りして第２端表紙ポケット部と第２内表紙ポケット部とが接し合い、第１表紙カバー部の表表紙部又は裏表紙部の裏面側が表紙カバーの表面となり、第２表紙カバー部の表表紙部又は裏表紙部の裏面側が表紙カバーの裏面となる、表紙カバーである。
この考案の請求項８にかかるカバーは、平面視略長方形の柔軟な合成樹脂シートからなるカバー本体の表面側に平面視略長方形又は方形の第１表紙カバー部が形成され、前記カバー本体の裏面側に平面視略長方形又は方形の第２表紙カバー部が形成され、前記第１表紙カバー部は、カバー本体の長手方向の一方端から、平面視長方形又は方形の表表紙部と平面視長方形又は方形の折曲部と平面視長方形又は方形の裏表紙部とが連続して形成され、前記第２表紙カバー部は、カバ−本体の長手方向の他方端から、平面視長方形又は方形の表表紙部と平面視長方形又は方形の折曲部と平面視長方形又は方形の裏表紙部が連続して形成され、第１表紙カバー部の折曲部は、カバー本体の表面側において、第１表紙カバー部の領域の中央において形成され、且つ、第２表紙カバーの折曲部は、カバー本体の裏面側において、第２表紙カバー部の領域の中央において形成され、カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、カバー本体の表面側に、第２表紙カバー部の折曲部の形成された領域に第１表紙カバー部に在る被覆体の裏表紙又は表表紙を入れるための第１内表紙ポケット部が付設され、カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、カバー本体の裏面側に、第１表紙カバー部の折曲部の形成された領域に第２表紙カバー部に在る被覆体の裏表紙又は表表紙又は裏表紙を入れるための第２内表紙ポケット部が付設され、第１表紙カバー部の折曲部は、第２表紙カバー部の第１内表紙ポケット部が形成された領域に位置し、第２表紙カバー部の折曲部は、第１表紙カバー部の第２内表紙ポケット部が形成された領域に位置し、第１端表紙ポケット部の開口端縁と第１内表紙ポケット部の開口端縁とが対向し、第２端表紙ポケット部の開口端縁と第２内表紙ポケット部の開口端縁とが対向し、第１表紙カバー部に在る被覆体の表表紙又は裏表紙を第１端表紙ポケット部とカバー本体の表面側との間に挿入され、第１表紙カバー部に在る被覆体の裏表紙又は表表紙を第１内表紙ポケット部とカバー本体の表面側との間に挿入され、第２表紙カバー部に在る被覆体の表表紙又は裏表紙を第２端表紙ポケット部とカバー本体の表面側との間に挿入され、第２表紙カバー部に在る被覆体の裏表紙又は表表紙を第２内表紙ポケット部とカバー本体の表面側との間に挿入され、被覆体が装填された第１表紙カバー部の折曲部においてカバー本体の表面側から見て被覆体の綴じ部とともに谷折りして第１表紙カバー部の表表紙部と第１表紙カバー部の裏表紙部とを向き合わせるとともに、第２表紙カバー部の折曲部においてカバー本体の裏面側から見て谷折りして第２表紙カバー部の表表紙部と第２表紙カバー部の裏表紙部とを向き合わせ、Ｚ字状にし、第１表紙カバー部の表表紙部又は裏表紙部の裏面側が表紙カバーの表面となり、第２表紙カバー部の表表紙部又は裏表紙部の裏面側が表紙カバーの裏面となる、表紙カバーである。
この考案の請求項９にかかるカバーは、カバー本体は、柔軟な合成樹脂シートからなり、第１端表紙ポケット部は、柔軟な合成樹脂シートからなり、表表紙又は裏表紙の差し込み口を構成する内側縁を残して外周縁をカバー本体の表面側の一方端の内側並びに一方端に続く外周縁の内側に熱溶着され又は連続され、第１内表紙ポケット部は、柔軟な合成樹脂シートからなり、裏表紙又は表表紙の差し込み口を形成する内側縁を残し外周縁をカバー本体の表面側の上端から下端に亘って並びに上端の内側に熱溶着され又は連続され、第２端表紙ポケット部は、柔軟な合成樹脂シートからなり、表表紙又は裏表紙の差し込み口を構成する内側縁を残して外周縁をカバー本体の裏面側の他方端の内側並びに他方端に続く外周縁の内側に熱溶着され又は連続され、第２内表紙ポケット部は、柔軟な合成樹脂シートからなり、裏表紙又は表表紙の差し込み口を形成する内側縁を残し外周縁をカバー本体の裏面側の上端から下端に亘って並びに上端の内側に熱溶着され又は連続された、請求項８に記載の表紙カバーである。
この考案の請求項１０にかかるカバーは、平面視略長方形の柔軟な合成樹脂シートからなるカバー本体の表面側に平面視略長方形又は方形の第１表紙カバー部が形成され、前記カバー本体の裏面側に平面視略長方形又は方形の第２表紙カバー部が形成され、前記第１表紙カバー部は、カバー本体の長手方向の一方端から、平面視長方形又は方形の表表紙部と平面視長方形又は方形の折曲部と平面視長方形又は方形の裏表紙部とが連続して形成され、前記第２表紙カバー部は、カバー本体の長手方向の他方端から、平面視長方形又は方形の表表紙部と平面視長方形又は方形の折曲部と平面視長方形又は方形の裏表紙部が連続して形成され、第１表紙カバー部の折曲部は、カバー本体の表面側において、第１表紙カバー部の領域の中央において形成され、且つ、第２表紙カバーの折曲部は、カバー本体の裏面側において、第２表紙カバー部の領域の中央において形成され、領域に形成され、カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、カバー本体の表面側に、第２表紙カバー部の折曲部の形成された領域に第１表紙カバー部に在る被覆体の裏表紙又は表表紙を入れるための第１内表紙ポケット部が付設され、カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、カバー本体の裏面側に、第１表紙カバー部の折曲部の形成された領域に第２表紙カバー部に在る被覆体の裏表紙又は表表紙又は裏表紙を入れるための第２内表紙ポケット部が付設され、第１表紙カバー部の折曲部は、第２表紙カバー部の第１内表紙ポケット部が形成された領域に位置し、第２表紙カバー部の折曲部は、第１表紙カバー部の第２内表紙ポケット部が形成された領域に位置し、第１端表紙ポケット部は、表表紙又は裏表紙の差し込み口を構成する内側縁を残して外周縁をカバー本体の表面側の一方端の内側並びに一方端に続く外周縁の内側に熱溶着され又は連続され、
第１内表紙ポケット部は、裏表紙又は表表紙の差し込み口を形成する内側縁を残し外周縁をカバー本体の表面側の上端から下端に亘って並びに上端の内側に熱溶着され又は連続され、第２端表紙ポケット部は、表表紙又は裏表紙の差し込み口を構成する内側縁を残して外周縁をカバー本体の裏面側の他方端の内側並びに他方端に続く外周縁の内側に熱溶着され又は連続され、第２内表紙ポケット部は、裏表紙又は表表紙の差し込み口を形成する内側縁を残し外周縁をカバー本体の裏面側の上端から下端に亘って並びに上端の内側に熱溶着され又は連続され、第１端表紙ポケット部の差し込み口と第１内表紙ポケット部の差し込み口とが対向し、第２端表紙ポケット部の差し込み口と第２内表紙ポケット部の差し込み口とが対向し、第１表紙カバー部に在る被覆体の表表紙又は裏表紙を第１端表紙ポケット部とカバー本体の表面側との間に挿入され、第１表紙カバー部に在る被覆体の裏表紙又は表表紙を第１内表紙ポケット部とカバー本体の表面側との間に挿入され、第２表紙カバー部に在る被覆体の表表紙又は裏表紙を第２端表紙ポケット部とカバー本体の表面側との間に挿入され、第２表紙カバー部に在る被覆体の裏表紙又は表表紙を第２内表紙ポケット部とカバー本体の表面側との間に挿入され、被覆体が装填された第１表紙カバー部の折曲部においてカバー本体の表面側から見て被覆体の綴じ部とともに谷折りして第１表紙カバー部の表表紙部と第１表紙カバー部の裏表紙部とを向き合わせるとともに、第２表紙カバー部の折曲部においてカバー本体の裏面側から見て谷折りして第２表紙カバー部の表表紙部と第２表紙カバー部の裏表紙部とを向き合わせ、Ｚ字状にし、第１表紙カバー部の表表紙部又は裏表紙部の裏面側が表紙カバーの表面となり、第２表紙カバー部の表表紙部又は裏表紙部の裏面側が表紙カバーの裏面となる、表紙カバーである。
【考案の効果】
【０００７】
請求項１の発明によれば、複数の冊子の表紙を覆うことができ、順次カバーで覆われた冊子を見開き、閲覧することができる表紙のカバーを提供することができる。
本考案の表紙カバーは、前のノートに書いたことを確認したいとき、もうひとつのカタログを忘れてしまったとき、２冊をまとめることにより、一冊と他の一冊、１つの期間と他の期間・１つの情報と他の情報を繋ぐことができる。
請求項９及び１０の発明によれば、本考案の表紙カバーをＺ型に折り曲げることによって２冊をカバーすることが出来、又、上下対称にすることで左右開きの冊子のどちらにも対応することが可能になる。
【図面の簡単な説明】
【０００８】
【図１】本考案に係る表紙カバーの実施の形態の一例を示す概略構成斜視図である。
【図２】本考案の表紙カバーの説明図であり、（ａ）は平面図解図であり、（ｂ）はＩ−Ｉ断面図解図である。
【図３】本考案の表紙カバーの説明図であり、（ａ）は平面図解図であり、（ｂ）はＩＩ−ＩＩ断面図解図である。
【図４】ポケット部の溶着部分を示す図解図であり、（ａ）は平面図解図であり、（ｂ）は背面図解図である。
【図５】表紙カバーに冊子を装入した状態を示す図解図であり、（ａ）は、平面図解図であり、（ｂ）は、（ａ）ＩＩＩ−ＩＩＩ断面図解図である。
【図６】表紙カバーに冊子を装入した状態を示す図解図であり、（ａ）は、平面図解図であり、（ｂ）は、（ａ）ＩＶ−ＩＶ断面図解図である。
【図７】本考案に係る表紙カバーの使用方法を示す説明図であり、（ａ）は第１表紙カバー部を開いた状態を示す図解図であり、（ｂ）は第２表紙カバー部を開いた状態を示す図解図である。
【図８Ａ】表紙カバーの折り畳み方を示す正面図解図である。
【図８Ｂ】表紙カバーの折り畳み方を示す断面図解図である。
【図９Ａ】冊子を装入した表紙カバーの折り畳み方を示す平面図解図である。
【図９Ｂ】冊子を装入した表紙カバーの折り畳み方を示す平面図解図である。
【図９Ｃ】冊子を装入した表紙カバーの折り畳み方を示す平面図解図である。
【図９Ｄ】冊子を装入した表紙カバーの折り畳み方を示す平面図解図である。
【図１０】表紙カバーに挿入された左綴じ冊子の開き方を示す正面図解図である。
【図１１】表紙カバーに右綴じ冊子を装入した状態を示す斜視図解図であり（ａ）は綴じた状態を示す図で、（ｂ）は開いた状態を示す図である。
【図１２】表紙カバーに右綴じ冊子を装入する方法を示す平面図解図である。
【図１３】表紙カバーに挿入された右綴じ冊子の開き方を示す正面図解図である。
【図１４Ａ】本考案に係る表紙カバーの製造方法の一例を示す図解図である。
【図１４Ｂ】本考案に係る表紙カバーの製造方法の一例を示す図解図である。
【図１４Ｃ】本考案に係る表紙カバーの製造方法の一例を示す図解図である。
【図１５】表紙カバーの使用方法を示す説明図である。
【考案を実施するための形態】
【０００９】
図１は、本考案に係る表紙カバーの実施の形態の一例を示す概略構成斜視図であり、図２は、表紙カバーの平面図であり、図２は、本考案の表紙カバーの説明図であり、（ａ）は平面図解図であり、（ｂ）はＩ−Ｉ断面図解図である。本考案の表紙カバー１は、図２、図３及び図４に示すように、カバー本体の表面１６側に第１表紙カバー部１２が形成され、
カバー本体の裏面１８側に第２表紙カバー部１４が形成されている。
第１表紙カバー部１２は、カバー本体１０の長手方向の一方端から、第１表表紙部２０と第１折曲部２２と第１裏表紙部２４とが連続して形成され、
第２表紙カバー部１４は、カバー本体１０の長手方向の他方端から、第２表表紙部６０と第２折曲部６２と第２裏表紙部６４とが連続して形成されている。
【００１０】
第１表紙カバー部１２の第１折曲部２２はカバー本体の表面１６側において、且つ、第２表紙カバー部１４の第１折曲部２２はカバー本体の裏面１８側において、それぞれが同じ領域に形成されている。
第１表紙カバー部１２の折曲部が、第２表紙カバー部１４の第１内表紙ポケット部４０が形成された領域に位置している。
第２表紙カバー部１４の折曲部が、第１表紙カバー部１２の第２内表紙ポケット部８０が形成された領域に位置している。
【００１１】
カバー本体の表面１６側に、長手方向の一方端側に第１表紙カバー部１２に在る被覆体たる冊子２００の表表紙２０２又は裏表紙２０４を入れるための第１端表紙ポケット部３０が付設されている。
カバー本体の表面１６側に、第２表紙カバー部１４の第２折曲部６２の形成された領域に第１表紙カバー部１２に在る被覆体たる冊子２００の裏表紙２０４又は表表紙２０２を入れるための第１内表紙ポケット部４０が付設されている。
【００１２】
被覆体たる冊子２００は、表表紙２０２と裏表紙２０４とを備え、左綴じ・左開きであって、冊子を読み進めるときにページの左を開いていく形式のもの、すなわち表表紙２０２を表にした場合、左側が綴じられているものである。
又、被覆体たる冊子２００は、表表紙２０２と裏表紙２０４とを備え、右綴じ・右開きであって、冊子を読み進めるときにページの右を開いていく形式のもの、すなわち表表紙２０２を表にした場合、右側が綴じられているものもある。
【００１３】
カバー本体の裏面１８側に、長手方向の他方端側に第２表紙カバー部１４に在る被覆体たる冊子２００の表表紙２０２又は裏表紙２０４を入れるための第２端表紙ポケット部７０が付設されている。
カバー本体の裏面１８側に、第１表紙カバー部１２の第１折曲部２２の形成された領域に第２表紙カバー部１４に在る被覆体たる冊子２００の裏表紙２０４又は表表紙２０２を入れるための第２内表紙ポケット部８０が付設されている。
【００１４】
冊子２００が左綴じ、左開きの場合には、第１表表紙部２０が第１端表紙ポケット部３０側になり、第２表表紙部６０が第２端表紙ポケット部７０側になる。
冊子２００は、右綴じ・右開きの場合は、左綴じ、左開きの場合とは左右を逆とすることにより、第１表表紙部２０が第１端表紙ポケット部３０側になり、第２表表紙部６０が第２端表紙ポケット部７０側になる。
【００１５】
カバー本体１０は、平面視略方形又は長方形である第１表紙カバー部１２の第１表表紙部２０及び第１裏表紙部２４並びに第２表紙カバー部１４の第１表表紙部２０及び第１裏表紙部２４が平面視略方形又は長方形であり、カバー本体１０は、第１表紙カバー部１２の第１表表紙部２０及び第１裏表紙部２４並びに第２表紙カバー部１４の第２表表紙部６０を合わせた平面視略方形又は長方形である。
【００１６】
カバー本体１０は、第１表紙カバー部１２の第１折曲部２２及び第２表紙カバー部１４の第２折曲部６２によって区切られている。
第１表紙カバー部１２の第１折曲部２２は、第２表紙カバー部１４の第２折曲部６２よりカバー本体１０の一方端寄りであって、カバー本体１０の一方端と交差する上端から他端に亘って形成されている。
第２表紙カバー部１４の第２折曲部６２は、第１表紙カバー部１２の第１折曲部２２よりカバー本体１０の他方端寄りであって、カバー本体１０の他方端と交差する上端から他端に亘って形成されている。
【００１７】
第１表紙カバー部１２の一方端及び第１折曲部２２並びに第２表紙カバー部１４の他方端及び背表紙は、略平行の線状である。
カバー本体１０の一方端及び他方端と交差する上端と下端とは、略平行の直線状である。
【００１８】
カバー本体１０は、その長手方向の長さが、第１表紙カバー部１２に在る表表紙の幅及び裏表紙の幅と、第２表紙カバー部１４に在る被覆体の裏表紙の幅との和である。
【００１９】
カバー本体１０は、柔軟な合成樹脂シート、紙又は布で形成されている。
カバー本体１０は、直線状のカバー本体の左端縁１１０と、直線状のカバー本体の下端縁１１６とを備える。
カバー本体１０は、カバー本体の左端縁１１０とカバー本体の右端縁１１２とが平行であり、カバー本体の左端縁１１０及びカバー本体の左端縁１１０とカバー本体の上端縁１１４及びカバー本体の下端縁１１６とは平行である、平面視略長方形ないしは方形である。
この実施の形態においては、カバー本体１０は、柔軟な熱可塑性合成樹脂シートからなる。
第１端表紙ポケット部３０は、柔軟な合成樹脂シートからなる。
第１端表紙ポケット部３０は、表表紙２０２又は裏表紙２０４の差し込み口を構成する内側縁を残して外周縁をカバー本体１０の表面１６側の一方端の内側並びに一方端に続く外周縁の内側に熱溶着され又は連続されている。
第１端表紙ポケット部３０は、外側縁を形成する直線状の第１端連結端縁３２と、差し込み口を形成する直線状の内側縁たる開口端縁３８と、第１端連結端縁３２及び開口端縁３８と直交する直線状の上端縁３４と、第１端連結端縁３２及び開口端縁３８と直交する直線状の下端縁３６とを備える。
第１端連結端縁３２と開口端縁３８とは平行であり、上端縁３４と下端縁３６とは平行である。
第１内表紙ポケット部４０は、柔軟な合成樹脂シートからなる。
第２内表紙ポケット部４０は、裏表紙２０２又は表表紙２０４の差し込み口を形成する内側縁を残し外周縁をカバー本体１０の表面１６側の上端から下端に亘って並びに上端縁及び下端縁の内側に熱溶着され又は連続されている。
第１内表紙ポケット部４０は、外側縁を形成する直線状の第１端連結端縁４２と、差し込み口を形成する直線状の内側縁たる開口端縁４８と、第１端連結端縁４２及び開口端縁４８と直交する直線状の上端縁４４と、第１端連結端縁４２及び開口端縁４８と直交する直線状の下端縁４６とを備える。
第１端連結端縁４２と開口端縁４８とは平行であり、上端縁４４と下端縁４６とは平行である。
【００２０】
第１端表紙ポケット部３０は、図４及び図１４において示すように、第１端連結端縁３２の内側の近傍において、筋状の熱溶着部３２ａによって、第１端連結端縁３２と第１表紙カバー部１２のカバー本体の左端縁１１０とを重ね合わせて熱溶着し連結されている。
第１端表紙ポケット部３０は、図４及び図１４において示すように、上端縁３４の内側の近傍において、筋状の熱溶着部３４ａによって、上端縁３４と第１表紙カバー部１２のカバー本体の上端縁１１４とを重ね合わせて熱溶着し連結されている。
第１端表紙ポケット部３０は、図４及び図１４において示すように、下端縁３６の内側の近傍において、筋状の熱溶着部３６ａによって、下端縁３６と第１表紙カバー部１２のカバー本体の下端縁１１６とを重ね合わせて熱溶着し連結されている。
【００２１】
第２端表紙ポケット部７０は、柔軟な合成樹脂シートからなる。
第２端表紙ポケット部７０は、表表紙２０２又は裏表紙２０４の差し込み口を構成する内側縁を残して外周縁をカバー本体１０の裏面１８側の他方端の内側並びに他方端に続く外周縁の内側に熱溶着され又は連続されている。
第２端表紙ポケット部７０は、外側縁を形成する直線状の第２端連結端縁７２と、差し込み口を形成する直線状の内側縁たる開口端縁７８と、第２端連結端縁７２及び開口端縁７８と直交する直線状の上端縁７４と、第２端連結端縁７２及び開口端縁７８と直交する直線状の下端縁７６とを備える。
第２端連結端縁７２と開口端縁７８とは平行であり、上端縁７４と下端縁７６とは平行である。
第２内表紙ポケット部８０は、柔軟な合成樹脂シートからなる。
第２内表紙ポケット部８０は、裏表紙２０２又は表表紙２０４の差し込み口を形成する内側縁を残し外周縁をカバー本体１０の裏面１８側の上端縁及び下端縁から下端に亘って並びに上端縁及び下端縁の内側に熱溶着され又は連続されている。
第２内表紙ポケット部８０は、外側縁を形成する直線状の第２端連結端縁８２と、差し込み口を形成する直線状の内側縁たる開口端縁８８と、第２端連結端縁８２及び開口端縁８８と直交する直線状の上端縁８４と、第２端連結端縁８２及び開口端縁８８と直交する直線状の下端縁８６とを備える。
第２端連結端縁８２と開口端縁８８とは平行であり、上端縁８４と下端縁８６とは平行である。
【００２２】
第２内表紙ポケット部４０は、図４及び図１４において示すように、第１端連結端縁４２の内側の近傍において、筋状の熱溶着部４２ａによって、第１端連結端縁４２と第１表紙カバー部１２の右端領域とを重ね合わせて、カバー本体の上端縁１１４とカバー本体の下端縁１１６との間に熱溶着し連結されている。
第２内表紙ポケット部４０は、図４及び図１４において示すように、上端縁４４の内側の近傍において、筋状の熱溶着部４４ａによって、上端縁４４と第１表紙カバー部１２のカバー本体の上端縁１１４とを重ね合わせて熱溶着し連結されている。
第２内表紙ポケット部４０は、図４及び図１４において示すように、下端縁４６の内側の近傍において、筋状の熱溶着部４６ａによって、下端縁４６と第１表紙カバー部１２のカバー本体の下端縁１１６とを重ね合わせて熱溶着し連結されている。
【００２３】
第２端表紙ポケット部７０は、図４及び図１４において示すように、第２端連結端縁７２の内側の近傍において、筋状の熱溶着部８２ａによって、第２端連結端縁７２と第２表紙カバー部１４のカバー本体の右端縁１１２とを重ね合わせて熱溶着し連結されている。
第２端表紙ポケット部７０は、図４及び図１４において示すように、上端縁７４の内側の近傍において、筋状の熱溶着部７４ａによって、上端縁７４と第２表紙カバー部１４のカバー本体の上端縁１１４とを重ね合わせて熱溶着し連結されている。
第２端表紙ポケット部８０は、図４及び図１４において示すように、下端縁７６の内側の近傍において、筋状の熱溶着部７６ａによって、下端縁７６と第２表紙カバー部１４のカバー本体１０の下端縁１１６とを重ね合わせて熱溶着し連結されている。
【００２４】
第２内表紙ポケット部８０は、図４及び図１４において示すように、第２端連結端縁８２の内側の近傍において、筋状の熱溶着部８２ａによって、第２折曲部６２と第２表紙カバー部１４の左端領域とを重ね合わせてカバー本体の上端縁１１４とカバー本体の下端縁１１６との間に亘って熱溶着し連結されている。
第２内表紙ポケット部８０は、図４及び図１４において示すように、上端縁８４の内側の近傍において、筋状の熱溶着部８４ａによって、上端縁８４と第２表紙カバー部１４のカバー本体の上端縁１１４とを重ね合わせて熱溶着し連結されている。
第２内表紙ポケット部８０は、図４及び図１４において示すように、下端縁８６の内側の近傍において、筋状の熱溶着部８６ａによって、下端縁８６と第２表紙カバー部１４のカバー本体１０の下端縁１１６とを重ね合わせて熱溶着し連結されている。
【００２５】
第１端表紙ポケット部３０の開口端縁３８と第２内表紙ポケット部４０の開口端縁４８とは、対向している。
第２端表紙ポケット部７０の開口端縁７８と第２内表紙ポケット部８０の開口端縁８８とは、対向している。
第１表紙カバー部１２の折曲部が、第２表紙カバー部１４の第１内表紙ポケット部４０が形成された領域に位置している。
第２表紙カバー部１４の折曲部が、第１表紙カバー部１２の第２内表紙ポケット部８０が形成された領域に位置している。
第１端表紙ポケット部３０の差し込み口と第１内表紙ポケット部４０の差し込み口とが対向している。
第２端表紙ポケット部７０の差し込み口と第２内表紙ポケット部８０の差し込み口とが対向している。
【００２６】
第１表紙カバー部１２に在る被覆体たる冊子２００の表表紙２０２又は裏表紙２０４を第１端表紙ポケット部３０とカバー本体の表面１６側との間に挿入され、
第１表紙カバー部１２に在る被覆体たる冊子２００の裏表紙２０４又は表表紙２０２を第１内表紙ポケット部４０とカバー本体の表面１６側との間に挿入され、
第２表紙カバー部１４に在る被覆体たる冊子２００の表表紙２０２又は裏表紙２０４を第２端表紙ポケット部とカバー本体の表面１６側との間に挿入され、
第２表紙カバー部１４に在る被覆体たる冊子２００の裏表紙２０４又は表表紙２０２を第２内表紙ポケット部８０とカバー本体の表面１６側との間に挿入される。
【００２７】
カバー本体１０を透明体で構成すれば、第１表紙カバー部１２に入れた冊子２００の表表紙２０２を第１表表紙部２０を通して透視でき、且つ、第２表紙カバー部１４に入れた冊子２００の表表紙２０２を第２表表紙部６０を通して透視できる。
而して、第１表紙カバー部１２に入れた冊子２００と第２表紙カバー部１４に入れた冊子２００とを混乱することなく、開くことができる。
【００２８】
この発明にかかる表紙カバー１は、被覆体が装填された第１表紙カバー部１２の第１折曲部２２においてカバー本体１０の表面側から見て被覆体の綴じ部２０６とともに谷折りして第１表紙カバー部１２の第１表表紙部２０と第１表紙カバー部１２の第１裏表紙部２４とを向き合わせるとともに、第２表紙カバー部１４の第２折曲部６２においてカバー本体１０の裏面側から見て谷折りして第２表紙カバー部１４の第２表表紙部６０と第２表紙カバー部１４の第２裏表紙部６４とを向き合わせ、Ｚ字状にし、第１表紙カバー部１２の  第１表表紙部２０又は第１裏表紙部２４の裏面側が表紙カバー１の表面となり、第２表紙カバー部１４の第２表表紙部６０又は第２裏表紙部６４の裏面側が表紙カバー１の裏面となる、
すなわち、表紙カバー１は被覆体である冊子２００が装填された第１表紙カバー部１２の第１折曲部２２においてカバー本体の表面１６側から見て被覆体である冊子２００の背であって綴じ部２０６とともに谷折りして第１端表紙ポケット部３０と第１内表紙ポケット部４０とが接し合うとともに、第２表紙カバー部１４の第２折曲部６２においてカバー本体の裏面１８側から見て谷折りして被覆体である冊子２００の背である綴じ部２０６とともに第２端表紙ポケット部７０と第２内表紙ポケット部８０とが接し合い、略Ｚ字状になった表紙カバー１は、第１表紙カバー部１２の第１表表紙部２０又は第１裏表紙部２４の裏面側が表紙カバー１の表紙カバーの表面３となり、第２表紙カバー部１４の第２表表紙部６０又は第２裏表紙部６４の裏面側が表紙カバー１の表紙カバーの裏面５となる。
【００２９】
次に、表紙カバー１の使用方法について、左綴じ・左開きの冊子２００を被覆するときの使用方法について、主として図９Ａ、９Ｂ，９Ｃ及び９Ｄに基づいて、説明する。
表紙カバー１は、左綴じ・左開きの冊子２００を被覆するときには、第１表紙カバー部１２を上面とし、第１表紙カバー部１２の第１端表紙ポケット部３０を左側にし第２端表紙ポケット部７０を右側にして、冊子２００の表表紙２０２を第１表紙カバー部１２の第１表表紙部２０に置いて第１端表紙ポケット部３０に挿入し、冊子２００の裏表紙２０４を第１表紙カバー部１２の第１裏表紙部２４に置いて第１内表紙ポケット部４０に挿入する。
第１表紙カバー部１２の第１表表紙部２０を冊子２００の表表紙２０２とともに、第１折曲部２２及び冊子２００の綴じ部２０６を中心にして、谷折りし、第１表紙カバー部１２の第１表表紙部２０を第１表紙カバー部１２の第１裏表紙部２４側に重ね合わせ、冊子２００の表表紙２０２を裏表紙２０４に重ね合わせる。
さすれば、第１表紙カバー部１２の第１表表紙部２０が表紙カバー１の表紙カバーの表面３となる。
表紙カバー１の第２表紙カバー部１４において、左綴じ・左開きの冊子２００を被覆するときには、カバー本体１０を裏返し、第２表紙カバー部１４を上面とし、第２表紙カバー部１４の第２端表紙ポケット部７０を左側にし第２内表紙ポケット部８０を右側にして、冊子２００の表表紙２０２を第２表紙カバー部１４の第２表表紙部６０に置いて第２端表紙ポケット部７０に挿入し、冊子２００の裏表紙２０４を第２表紙カバー部１４の第２裏表紙部６４に置いて第１内表紙ポケット部８０に挿入する。
第２表紙カバー部１４の第２表表紙部６０を冊子２００の表表紙２０２とともに、第２折曲部６２及び冊子２００の綴じ部２０６を中心にして、谷折りし、第２表紙カバー部１４の第２表表紙部６０を第２表紙カバー部１４の第２裏表紙部６４側に重ね合わせ、冊子２００の表表紙２０２を裏表紙２０４に重ね合わせる。
さすれば、第２表紙カバー部１４の第２表表紙部６０が表紙カバー１の表紙カバーの裏面５となる。
【００３０】
次に、表紙カバー１の使用方法について、右綴じ・右開きの冊子２００を被覆するときの使用方法について、主として図１１及び１２に基づいて、説明する。
表紙カバー１は、右綴じ・右開きの冊子２００を被覆するときには、第１表紙カバー部１２を上面とし、第１表紙カバー部１２の第１端表紙ポケット部３０を右側に第２端表紙ポケット部７０を左側にして、冊子２００の表表紙２０２を第１表紙カバー部１２の第１表表紙部２０に置いて第１端表紙ポケット部３０に挿入し、冊子２００の裏表紙２０４を第１表紙カバー部１２の第１裏表紙部２４に置いて第２内表紙ポケット部４０に挿入する。
第１表紙カバー部１２の第１表表紙部２０を冊子２００の表表紙２０２とともに、第１折曲部２２及び冊子２００の綴じ部２０６を中心にして、谷折りし、第１表紙カバー部１２の第１表表紙部２０を第１表紙カバー部１２の第１裏表紙部２４側に重ね合わせ、冊子２００の表表紙２０２を裏表紙２０４に重ね合わせる。
さすれば、第１表紙カバー部１２の第１表表紙部２０が表紙カバー１の表紙カバーの表面３となる。
表紙カバー１の第２表紙カバー部１４において、右綴じ・右開きの冊子２００を被覆するときには、カバー本体１０を裏返し、第２表紙カバー部１４を上面にし、第２表紙カバー部１４の第２端表紙ポケット部７０を右側に第２内表紙ポケット部８０を左側にして、冊子２００の表表紙２０２を第２表紙カバー部１４の第２表表紙部６０に置いて第２端表紙ポケット部７０に挿入し、冊子２００の裏表紙２０４を第２表紙カバー部１４の第２裏表紙部６４に置いて第２内表紙ポケット部８０に挿入する。
第２表紙カバー部１４の第２表表紙部６０を冊子２００の表表紙２０２とともに、第２折曲部６２及び冊子２００の綴じ部２０６を中心にして、谷折りし、第２表紙カバー部１４の第２裏表紙部６４側に重ね合わせ、冊子２００の表表紙２０２を裏表紙２０４に重ね合わせる。
さすれば、第２表紙カバー部１４の第２裏表紙部６０が表紙カバー１の表紙カバーの表紙カバーの裏面５となる。
【符号の説明】
【００３１】
１  表紙カバー
３  表紙カバーの表面
５  表紙カバーの裏面
１０  カバー本体
１２  第１表紙カバー部
２０  第１表表紙部
２２  第１折曲部
２４  第１裏表紙部
３０  第１端表紙ポケット部
４０  第１内表紙ポケット部
１４  第２表紙カバー部
６０  第２表表紙部
６２  第２折曲部
６４  第２裏表紙部
７０  第２端表紙ポケット部
８０  第２内表紙ポケット部
１６  カバー本体の表面
１８  カバー本体の裏面
３２  第１端連結端縁
３２ａ、３４ａ、３６ａ  熱溶着部
３４  上端縁
３６  下端縁
３８  開口端縁
４２  第１端連結端縁
４２ａ、４４ａ、４６ａ  熱溶着部
４４  上端縁
４６  下端縁
４８  開口端縁
７２  第２端連結端縁
７２ａ  熱溶着部
７４  上端縁
７４ａ  熱溶着部
７６  下端縁
７６ａ  熱溶着部
７８  開口端縁
８２  第２端連結端縁
８２ａ  熱溶着部
８４  上端縁
８４ａ  熱溶着部
８６  下端縁
８６ａ  熱溶着部
８８  開口端縁
１１０  カバー本体の左端縁
１１２  カバー本体の右端縁
１１４  カバー本体の上端縁
１１６  カバー本体の下端縁
２００  冊子
２０２  表表紙
２０４  裏表紙
２０６  綴じ部
【図１】
0003196420.tif 000003
【図２】
0003196420.tif 000004
【図３】
0003196420.tif 000005
【図４】
0003196420.tif 000006
【図５】
0003196420.tif 000007
【図６】
0003196420.tif 000008
【図７】
0003196420.tif 000009
【図８Ａ】
0003196420.tif 000010
【図８Ｂ】
0003196420.tif 000011
【図９Ａ】
0003196420.tif 000012
【図９Ｂ】
0003196420.tif 000013
【図９Ｃ】
0003196420.tif 000014
【図９Ｄ】
0003196420.tif 000015
【図１０】
0003196420.tif 000016
【図１１】
0003196420.tif 000017
【図１２】
0003196420.tif 000018
【図１３】
0003196420.tif 000019
【図１４Ａ】
0003196420.tif 000020
【図１４Ｂ】
0003196420.tif 000021
【図１４Ｃ】
0003196420.tif 000022
【図１５】
0003196420.tif 000023
【手続補正書】
【提出日】平成26年12月25日(2014.12.25)
【手続補正１】
【補正対象書類名】実用新案登録請求の範囲
【補正対象項目名】全文
【補正方法】変更
【補正の内容】
【実用新案登録請求の範囲】
【請求項１】
カバー本体の表面側に第１表紙カバー部が形成され、
カバー本体の裏面側に第２表紙カバー部が形成され、
第１表紙カバー部は、カバー本体の長手方向の一方端から、表表紙部と折曲部と裏表紙部とが連続して形成され、
第２表紙カバー部は、かバ−本体の長手方向の他方端から、表表紙部と折曲部と裏表紙部とが連続して形成され、
第１表紙カバー部の折曲部は、カバー本体の表面側において、且つ、第２表紙カバーの折曲部はカバー本体の裏面側において、それぞれが第１表紙カバー部および第２表紙カバー部における同じ領域に形成され、
カバー本体の表面側に、長手方向の一方端側に第１表紙カバー部に在る被覆体の表表紙又は裏表紙を入れるための第１端表紙ポケット部が付設され、
カバー本体の表面側に、第２表紙カバー部の折曲部の形成された領域に第１表紙カバー部に在る被覆体の表表紙又は裏表紙を入れるための第１内表紙ポケット部が付設され、
カバー本体の裏面側に、長手方向の他方端側に第２表紙カバー部に在る被覆体の表表紙又は裏表紙を入れるための第２端表紙ポケット部が付設され、
カバー本体の裏面側に、第１表紙カバー部の折曲部の形成された領域に第２表紙カバー部に在る被覆体の裏表紙又は表表紙を入れるための第２内表紙ポケット部が付設され、
第１表紙カバー部の折曲部においてカバー本体の表面側から見て被覆体の背とともに谷折りして第１端表紙ポケット部と第１内表紙ポケット部とが接し合うとともに、第２表紙カバー部の折曲部においてカバー本体の裏面側から見て被覆体の背とともに谷折りして第２端表紙ポケット部と第２内表紙ポケット部とが接し合い、第１表紙カバー部の表表紙部又は裏表紙部の裏面側が表紙カバーの表面となり、第２表紙カバー部の表表紙部又は裏表紙部の裏面側が表紙カバーの裏面となる、
表紙カバー。
【請求項２】
カバー本体は、平面視略方形又は長方形である第１表紙カバー部の表表紙部及び裏表紙部並びに第２表紙カバー部の表表紙部及び裏表紙部が平面視略方形又は長方形であり、カバー本体は、第１表紙カバー部の表表紙部及び裏表紙部並びに第２表紙カバー部の表表紙部を合わせた平面視略方形又は長方形である、請求項１に記載の表紙カバー。
【請求項３】
カバー本体は、その長手方向の長さが、第１表紙カバー部に在る表表紙の幅及び裏表紙の幅と、第２表紙カバー部に在る被覆体の裏表紙の幅との和である、請求項１又は２に記載の表紙カバー。
【請求項４】
カバー本体は、第１表紙カバー部の折曲部及び第２表紙カバー部の折曲部によって区切られ、
第１表紙カバー部の折曲部は、第２表紙カバー部の折曲部よりカバー本体の一方端寄りであって、カバー本体の一方端と交差する上端から他端に亘って形成され、
第２表紙カバー部の折曲部は、第１表紙カバー部の折曲部よりカバー本体の他方端寄りであって、カバー本体の他方端と交差する上端から他端に亘って形成され、
第１表紙カバー部の一方端及び折曲部並びに第２表紙カバー部の他方端及び背表紙は、略平行の線状であり、
カバー本体の一方端及び他方端と交差する上端と下端とは、略平行の直線状である、請求項１ないし３のいずれかに記載の表紙カバー。
【請求項５】
カバー本体は、柔軟な合成樹脂シートからなり、
第１端表紙ポケット部は、柔軟な合成樹脂シートからなり、表表紙又は裏表紙の差し込み口を構成する内側縁を残して外周縁をカバー本体の表面側の一方端の内側並びに一方端に続く外周縁の内側に熱溶着され又は連続され、
第１内表紙ポケット部は、柔軟な合成樹脂シートからなり、裏表紙又は表表紙の差し込み口を形成する内側縁を残し外周縁をカバー本体の表面側の上端から下端に亘って並びに上端の内側に熱溶着され又は連続され、
第２端表紙ポケット部は、柔軟な合成樹脂シートからなり、表表紙又は裏表紙の差し込み口を構成する内側縁を残して外周縁をカバー本体の裏面側の他方端の内側並びに他方端に続く外周縁の内側に熱溶着され又は連続され、
第２内表紙ポケット部は、柔軟な合成樹脂シートからなり、裏表紙又は表表紙の差し込み口を形成する内側縁を残し外周縁をカバー本体の裏面側の上端から下端に亘って並びに上端の内側に熱溶着され又は連続された、請求項１ないし４のいずれかに記載の表紙カバー。
【請求項６】
カバー本体は、柔軟な合成樹脂シート、紙又は布で形成された、請求項１ないし５のいずれかに記載の表紙カバー。
【請求項７】
平面視略長方形の柔軟な合成樹脂シートからなるカバー本体の表面側に平面視略長方形又は方形の第１表紙カバー部が形成され、
前記カバー本体の裏面側に平面視略長方形又は方形の第２表紙カバー部が形成され、
前記第１表紙カバー部は、カバー本体の長手方向の一方端から、平面視長方形又は方形の表表紙部と平面視長方形又は方形の折曲部と平面視長方形又は方形の裏表紙部とが連続して形成され、
前記第２表紙カバー部は、カバー本体の長手方向の他方端から、平面視長方形又は方形の表表紙部と平面視長方形又は方形の折曲部と平面視長方形又は方形の裏表紙部が連続して形成され、
第１表紙カバー部の折曲部は、カバー本体の表面側において、且つ、第２表紙カバーの折曲部は、カバー本体の裏面側において、それぞれが第１表紙カバー部および第２表紙カバー部における同じ領域に形成され、
カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、
カバー本体の表面側に、第２表紙カバー部の折曲部の形成された領域に第１表紙カバー部に在る被覆体の裏表紙又は表表紙を入れるための第１内表紙ポケット部が付設され、
カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、
カバー本体の裏面側に、第１表紙カバー部の折曲部の形成された領域に第２表紙カバー部に在る被覆体の裏表紙又は表表紙又は裏表紙を入れるための第２内表紙ポケット部が付設され、
第１表紙カバー部に在る被覆体の表表紙又は裏表紙を第１端表紙ポケット部とカバー本体の表面側との間に挿入され、
第１表紙カバー部に在る被覆体の裏表紙又は表表紙を第１内表紙ポケット部とカバー本体の表面側との間に挿入され、
第２表紙カバー部に在る被覆体の表表紙又は裏表紙を第２端表紙ポケット部とカバー本体の表面側との間に挿入され、
第２表紙カバー部に在る被覆体の裏表紙又は表表紙を第２内表紙ポケット部とカバー本体の表面側との間に挿入され、
被覆体が装填された第１表紙カバー部の折曲部においてカバー本体の表面側から見て被覆体の背とともに谷折りして第１端表紙ポケット部と第１内表紙ポケット部とが接し合うとともに、第２表紙カバー部の折曲部においてカバー本体の裏面側から見て谷折りして第２端表紙ポケット部と第２内表紙ポケット部とが接し合い、第１表紙カバー部の表表紙部又は裏表紙部の裏面側が表紙カバーの表面となり、第２表紙カバー部の表表紙部又は裏表紙部の裏面側が表紙カバーの裏面となる、
表紙カバー。
【請求項８】
平面視略長方形の柔軟な合成樹脂シートからなるカバー本体の表面側に平面視略長方形又は方形の第１表紙カバー部が形成され、
前記カバー本体の裏面側に平面視略長方形又は方形の第２表紙カバー部が形成され、
前記第１表紙カバー部は、カバー本体の長手方向の一方端から、平面視長方形又は方形の表表紙部と平面視長方形又は方形の折曲部と平面視長方形又は方形の裏表紙部とが連続して形成され、
前記第２表紙カバー部は、カバ−本体の長手方向の他方端から、平面視長方形又は方形の表表紙部と平面視長方形又は方形の折曲部と平面視長方形又は方形の裏表紙部が連続して形成され、
第１表紙カバー部の折曲部は、カバー本体の表面側において、第１表紙カバー部の領域の中央において形成され、且つ、第２表紙カバーの折曲部は、カバー本体の裏面側において、第２表紙カバー部の領域の中央において形成され、
カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、
カバー本体の表面側に、第２表紙カバー部の折曲部の形成された領域に第１表紙カバー部に在る被覆体の裏表紙又は表表紙を入れるための第１内表紙ポケット部が付設され、
カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、
カバー本体の裏面側に、第１表紙カバー部の折曲部の形成された領域に第２表紙カバー部に在る被覆体の裏表紙又は表表紙又は裏表紙を入れるための第２内表紙ポケット部が付設され、
第１表紙カバー部の折曲部は、第２表紙カバー部の第１内表紙ポケット部が形成された領域に位置し、
第２表紙カバー部の折曲部は、第１表紙カバー部の第２内表紙ポケット部が形成された領域に位置し、
第１端表紙ポケット部の開口端縁と第１内表紙ポケット部の開口端縁とが対向し、
第２端表紙ポケット部の開口端縁と第２内表紙ポケット部の開口端縁とが対向し、
第１表紙カバー部に在る被覆体の表表紙又は裏表紙を第１端表紙ポケット部とカバー本体の表面側との間に挿入され、
第１表紙カバー部に在る被覆体の裏表紙又は表表紙を第１内表紙ポケット部とカバー本体の表面側との間に挿入され、
第２表紙カバー部に在る被覆体の表表紙又は裏表紙を第２端表紙ポケット部とカバー本体の表面側との間に挿入され、
第２表紙カバー部に在る被覆体の裏表紙又は表表紙を第２内表紙ポケット部とカバー本体の表面側との間に挿入され、
被覆体が装填された第１表紙カバー部の折曲部においてカバー本体の表面側から見て被覆体の綴じ部とともに谷折りして第１表紙カバー部の表表紙部と第１表紙カバー部の裏表紙部とを向き合わせるとともに、第２表紙カバー部の折曲部においてカバー本体の裏面側から見て谷折りして第２表紙カバー部の表表紙部と第２表紙カバー部の裏表紙部とを向き合わせ、Ｚ字状にし、第１表紙カバー部の表表紙部又は裏表紙部の裏面側が表紙カバーの表面となり、第２表紙カバー部の表表紙部又は裏表紙部の裏面側が表紙カバーの裏面となる、
表紙カバー。
【請求項９】
カバー本体は、柔軟な合成樹脂シートからなり、
第１端表紙ポケット部は、柔軟な合成樹脂シートからなり、表表紙又は裏表紙の差し込み口を構成する内側縁を残して外周縁をカバー本体の表面側の一方端の内側並びに一方端に続く外周縁の内側に熱溶着され又は連続され、
第１内表紙ポケット部は、柔軟な合成樹脂シートからなり、裏表紙又は表表紙の差し込み口を形成する内側縁を残し外周縁をカバー本体の表面側の上端から下端に亘って並びに上端の内側に熱溶着され又は連続され、
第２端表紙ポケット部は、柔軟な合成樹脂シートからなり、表表紙又は裏表紙の差し込み口を構成する内側縁を残して外周縁をカバー本体の裏面側の他方端の内側並びに他方端に続く外周縁の内側に熱溶着され又は連続され、
第２内表紙ポケット部は、柔軟な合成樹脂シートからなり、裏表紙又は表表紙の差し込み口を形成する内側縁を残し外周縁をカバー本体の裏面側の上端から下端に亘って並びに上端の内側に熱溶着され又は連続された、請求項８に記載の表紙カバー。
【請求項１０】
平面視略長方形の柔軟な合成樹脂シートからなるカバー本体の表面側に平面視略長方形又は方形の第１表紙カバー部が形成され、
前記カバー本体の裏面側に平面視略長方形又は方形の第２表紙カバー部が形成され、
前記第１表紙カバー部は、カバー本体の長手方向の一方端から、平面視長方形又は方形の表表紙部と平面視長方形又は方形の折曲部と平面視長方形又は方形の裏表紙部とが連続して形成され、
前記第２表紙カバー部は、カバー本体の長手方向の他方端から、平面視長方形又は方形の表表紙部と平面視長方形又は方形の折曲部と平面視長方形又は方形の裏表紙部が連続して形成され、
第１表紙カバー部の折曲部は、カバー本体の表面側において、第１表紙カバー部の領域の中央において形成され、且つ、第２表紙カバーの折曲部は、カバー本体の裏面側において、第２表紙カバー部の領域の中央において形成され、
カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、
カバー本体の表面側に、第２表紙カバー部の折曲部の形成された領域に第１表紙カバー部に在る被覆体の裏表紙又は表表紙を入れるための第１内表紙ポケット部が付設され、
カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、
カバー本体の裏面側に、第１表紙カバー部の折曲部の形成された領域に第２表紙カバー部に在る被覆体の裏表紙又は表表紙又は裏表紙を入れるための第２内表紙ポケット部が付設され、
第１表紙カバー部の折曲部は、第２表紙カバー部の第１内表紙ポケット部が形成された領域に位置し、
第２表紙カバー部の折曲部は、第１表紙カバー部の第２内表紙ポケット部が形成された領域に位置し、
第１端表紙ポケット部は、表表紙又は裏表紙の差し込み口を構成する内側縁を残して外周縁をカバー本体の表面側の一方端の内側並びに一方端に続く外周縁の内側に熱溶着され又は連続され、
第１内表紙ポケット部は、裏表紙又は表表紙の差し込み口を形成する内側縁を残し外周縁をカバー本体の表面側の上端から下端に亘って並びに上端の内側に熱溶着され又は連続され、
第２端表紙ポケット部は、表表紙又は裏表紙の差し込み口を構成する内側縁を残して外周縁をカバー本体の裏面側の他方端の内側並びに他方端に続く外周縁の内側に熱溶着され又は連続され、
第２内表紙ポケット部は、裏表紙又は表表紙の差し込み口を形成する内側縁を残し外周縁をカバー本体の裏面側の上端から下端に亘って並びに上端の内側に熱溶着され又は連続され、
第１端表紙ポケット部の差し込み口と第１内表紙ポケット部の差し込み口とが対向し、
第２端表紙ポケット部の差し込み口と第２内表紙ポケット部の差し込み口とが対向し、
第１表紙カバー部に在る被覆体の表表紙又は裏表紙を第１端表紙ポケット部とカバー本体の表面側との間に挿入され、
第１表紙カバー部に在る被覆体の裏表紙又は表表紙を第１内表紙ポケット部とカバー本体の表面側との間に挿入され、
第２表紙カバー部に在る被覆体の表表紙又は裏表紙を第２端表紙ポケット部とカバー本体の表面側との間に挿入され、
第２表紙カバー部に在る被覆体の裏表紙又は表表紙を第２内表紙ポケット部とカバー本体の表面側との間に挿入され、
被覆体が装填された第１表紙カバー部の折曲部においてカバー本体の表面側から見て被覆体の綴じ部とともに谷折りして第１表紙カバー部の表表紙部と第１表紙カバー部の裏表紙部とを向き合わせるとともに、第２表紙カバー部の折曲部においてカバー本体の裏面側から見て谷折りして第２表紙カバー部の表表紙部と第２表紙カバー部の裏表紙部とを向き合わせ、Ｚ字状にし、第１表紙カバー部の表表紙部又は裏表紙部の裏面側が表紙カバーの表面となり、第２表紙カバー部の表表紙部又は裏表紙部の裏面側が表紙カバーの裏面となる、
表紙カバー。
【手続補正２】
【補正対象書類名】明細書
【補正対象項目名】０００６
【補正方法】変更
【補正の内容】
【０００６】
本考案の表紙カバーは、カバー本体の表面側に第１表紙カバー部が形成され、カバー本体の裏面側に第２表紙カバー部が形成され、第１表紙カバー部は、カバー本体の長手方向の一方端から、表表紙部と折曲部と裏表紙部とが連続して形成され、第２表紙カバー部は、かバ−本体の長手方向の他方端から、表表紙部と折曲部と裏表紙部とが連続して形成され、第１表紙カバー部の折曲部は、カバー本体の表面側において、且つ、第２表紙カバーの折曲部はカバー本体の裏面側において、それぞれが第１表紙カバー部および第２表紙カバー部における同じ領域に形成され、カバー本体の表面側に、長手方向の一方端側に第１表紙カバー部に在る被覆体の表表紙又は裏表紙を入れるための第１端表紙ポケット部が付設され、カバー本体の表面側に、第２表紙カバー部の折曲部の形成された領域に第１表紙カバー部に在る被覆体の表表紙又は裏表紙を入れるための第１内表紙ポケット部が付設され、カバー本体の裏面側に、長手方向の他方端側に第２表紙カバー部に在る被覆体の表表紙又は裏表紙を入れるための第２端表紙ポケット部が付設され、カバー本体の裏面側に、第１表紙カバー部の折曲部の形成された領域に第２表紙カバー部に在る被覆体の裏表紙又は表表紙を入れるための第２内表紙ポケット部が付設され、第１表紙カバー部の折曲部においてカバー本体の表面側から見て被覆体の背とともに谷折りして第１端表紙ポケット部と第１内表紙ポケット部とが接し合うとともに、第２表紙カバー部の折曲部においてカバー本体の裏面側から見て被覆体の背とともに谷折りして第２端表紙ポケット部と第２内表紙ポケット部とが接し合い、第１表紙カバー部の表表紙部又は裏表紙部の裏面側が表紙カバーの表面となり、第２表紙カバー部の表表紙部又は裏表紙部の裏面側が表紙カバーの裏
面となる、表紙カバーである。
この考案の請求項２にかかるカバーは、カバー本体は、平面視略方形又は長方形である第１表紙カバー部の表表紙部及び裏表紙部並びに第２表紙カバー部の表表紙部及び裏表紙部が平面視略方形又は長方形であり、カバー本体は、第１表紙カバー部の表表紙部及び裏表紙部並びに第２表紙カバー部の表表紙部を合わせた平面視略方形又は長方形である、請求項１に記載の表紙カバーである。
この考案の請求項３にかかるカバーは、カバー本体は、その長手方向の長さが、第１表紙カバー部に在る表表紙の幅及び裏表紙の幅と、第２表紙カバー部に在る被覆体の裏表紙の幅との和である、請求項１又は２に記載の表紙カバーである。
この考案の請求項４にかかるカバーは、カバー本体は、第１表紙カバー部の折曲部及び第２表紙カバー部の折曲部によって区切られ、第１表紙カバー部の折曲部は、第２表紙カバー部の折曲部よりカバー本体の一方端寄りであって、カバー本体の一方端と交差する上端から他端に亘って形成され、第２表紙カバー部の折曲部は、第１表紙カバー部の折曲部よりカバー本体の他方端寄りであって、カバー本体の他方端と交差する上端から他端に亘って形成され、第１表紙カバー部の一方端及び折曲部並びに第２表紙カバー部の他方端及び背表紙は、略平行の線状であり、カバー本体の一方端及び他方端と交差する上端と下端とは、略平行の直線状である、請求項１ないし３のいずれかに記載の表紙カバーである。
この考案の請求項５にかかるカバーにおいては、  カバー本体は、柔軟な合成樹脂シートからなり、第１端表紙ポケット部は、柔軟な合成樹脂シートからなり、表表紙又は裏表紙の差し込み口を構成する内側縁を残して外周縁をカバー本体の表面側の一方端の内側並びに一方端に続く外周縁の内側に熱溶着され又は連続され、第１内表紙ポケット部は、柔軟な合成樹脂シートからなり、裏表紙又は表表紙の差し込み口を形成する内側縁を残し外周縁をカバー本体の表面側の上端から下端に亘って並びに上端の内側に熱溶着され又は連続され、第２端表紙ポケット部は、柔軟な合成樹脂シートからなり、表表紙又は裏表紙の差し込み口を構成する内側縁を残して外周縁をカバー本体の裏面側の他方端の内側並びに他方端に続く外周縁の内側に熱溶着され又は連続され、第２内表紙ポケット部は、柔軟な合成樹脂シートからなり、裏表紙又は表表紙の差し込み口を形成する内側縁を残し外周縁をカバー本体の裏面側の上端から下端に亘って並びに上端の内側に熱溶着され又は連続された、請求項１ないし４のいずれかに記載の表紙カバーである。
この考案の請求項６にかかるカバーは、カバー本体は、柔軟な合成樹脂シート、紙又は布で形成された、請求項１ないし５のいずれかに記載の表紙カバーである。
この考案の請求項７にかかるカバーは、平面視略長方形の柔軟な合成樹脂シートからなるカバー本体の表面側に平面視略長方形又は方形の第１表紙カバー部が形成され、前記カバー本体の裏面側に平面視略長方形又は方形の第２表紙カバー部が形成され、
前記第１表紙カバー部は、カバー本体の長手方向の一方端から、平面視長方形又は方形の表表紙部と平面視長方形又は方形の折曲部と平面視長方形又は方形の裏表紙部とが連続して形成され、前記第２表紙カバー部は、カバー本体の長手方向の他方端から、平面視長方形又は方形の表表紙部と平面視長方形又は方形の折曲部と平面視長方形又は方形の裏表紙部が連続して形成され、第１表紙カバー部の折曲部は、カバー本体の表面側において、且つ、第２表紙カバーの折曲部は、カバー本体の裏面側において、それぞれが第１表紙カバー部および第２表紙カバー部における同じ領域に形成され、カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、カバー本体の表面側に、第２表紙カバー部の折曲部の形成された領域に第１表紙カバー部に在る被覆体の裏表紙又は表表紙を入れるための第１内表紙ポケット部が付設され、カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、カバー本体の裏面側に、第１表紙カバー部の折曲部の形成された領域に第２表紙カバー部に在る被覆体の裏表紙又は表表紙又は裏表紙を入れるための第２内表紙ポケット部が付設され、第１表紙カバー部に在る被覆体の表表紙又は裏表紙を第１端表紙ポケット部
とカバー本体の表面側との間に挿入され、第１表紙カバー部に在る被覆体の裏表紙又は表表紙を第１内表紙ポケット部とカバー本体の表面側との間に挿入され、第２表紙カバー部に在る被覆体の表表紙又は裏表紙を第２端表紙ポケット部とカバー本体の表面側との間に挿入され、第２表紙カバー部に在る被覆体の裏表紙又は表表紙を第２内表紙ポケット部とカバー本体の表面側との間に挿入され、被覆体が装填された第１表紙カバー部の折曲部においてカバー本体の表面側から見て被覆体の背とともに谷折りして第１端表紙ポケット部と第１内表紙ポケット部とが接し合うとともに、第２表紙カバー部の折曲部においてカバー本体の裏面側から見て谷折りして第２端表紙ポケット部と第２内表紙ポケット部とが接し合い、第１表紙カバー部の表表紙部又は裏表紙部の裏面側が表紙カバーの表面となり、第２表紙カバー部の表表紙部又は裏表紙部の裏面側が表紙カバーの裏面となる、表紙カバーである。
この考案の請求項８にかかるカバーは、平面視略長方形の柔軟な合成樹脂シートからなるカバー本体の表面側に平面視略長方形又は方形の第１表紙カバー部が形成され、前記カバー本体の裏面側に平面視略長方形又は方形の第２表紙カバー部が形成され、前記第１表紙カバー部は、カバー本体の長手方向の一方端から、平面視長方形又は方形の表表紙部と平面視長方形又は方形の折曲部と平面視長方形又は方形の裏表紙部とが連続して形成され、前記第２表紙カバー部は、カバ−本体の長手方向の他方端から、平面視長方形又は方形の表表紙部と平面視長方形又は方形の折曲部と平面視長方形又は方形の裏表紙部が連続して形成され、第１表紙カバー部の折曲部は、カバー本体の表面側において、第１表紙カバー部の領域の中央において形成され、且つ、第２表紙カバーの折曲部は、カバー本体の裏面側において、第２表紙カバー部の領域の中央において形成され、カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、カバー本体の表面側に、第２表紙カバー部の折曲部の形成された領域に第１表紙カバー部に在る被覆体の裏表紙又は表表紙を入れるための第１内表紙ポケット部が付設され、カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、カバー本体の裏面側に、第１表紙カバー部の折曲部の形成された領域に第２表紙カバー部に在る被覆体の裏表紙又は表表紙又は裏表紙を入れるための第２内表紙ポケット部が付設され、第１表紙カバー部の折曲部は、第２表紙カバー部の第１内表紙ポケット部が形成された領域に位置し、第２表紙カバー部の折曲部は、第１表紙カバー部の第２内表紙ポケット部が形成された領域に位置し、第１端表紙ポケット部の開口端縁と第１内表紙ポケット部の開口端縁とが対向し、第２端表紙ポケット部の開口端縁と第２内表紙ポケット部の開口端縁とが対向し、第１表紙カバー部に在る被覆体の表表紙又は裏表紙を第１端表紙ポケット部とカバー本体の表面側との間に挿入され、第１表紙カバー部に在る被覆体の裏表紙又は表表紙を第１内表紙ポケット部とカバー本体の表面側との間に挿入され、第２表紙カバー部に在る被覆体の表表紙又は裏表紙を第２端表紙ポケット部とカバー本体の表面側との間に挿入され、第２表紙カバー部に在る被覆体の裏表紙又は表表紙を第２内表紙ポケット部とカバー本体の表面側との間に挿入され、被覆体が装填された第１表紙カバー部の折曲部においてカバー本体の表面側から見て被覆体の綴じ部とともに谷折りして第１表紙カバー部の表表紙部と第１表紙カバー部の裏表紙部とを向き合わせるとともに、第２表紙カバー部の折曲部においてカバー本体の裏面側から見て谷折りして第２表紙カバー部の表表紙部と第２表紙カバー部の裏表紙部とを向き合わせ、Ｚ字状にし、第１表紙カバー部の表表紙部又は裏表紙部の裏面側が表紙カバーの表面となり、第２表紙カバー部の表表紙部又は裏表紙部の裏面側が表紙カバーの裏面となる、表紙カバーである。
この考案の請求項９にかかるカバーは、カバー本体は、柔軟な合成樹脂シートからなり、第１端表紙ポケット部は、柔軟な合成樹脂シートからなり、表表紙又は裏表紙の差し込み口を構成する内側縁を残して外周縁をカバー本体の表面側の一方端の内側並びに一方端に続く外周縁の内側に熱溶着され又は連続され、第１内表紙ポケット部は、柔軟な合成樹脂シートからなり、裏表紙又は表表紙の差し込み口を形成する内側縁を残し外周縁をカバ
ー本体の表面側の上端から下端に亘って並びに上端の内側に熱溶着され又は連続され、第２端表紙ポケット部は、柔軟な合成樹脂シートからなり、表表紙又は裏表紙の差し込み口を構成する内側縁を残して外周縁をカバー本体の裏面側の他方端の内側並びに他方端に続く外周縁の内側に熱溶着され又は連続され、第２内表紙ポケット部は、柔軟な合成樹脂シートからなり、裏表紙又は表表紙の差し込み口を形成する内側縁を残し外周縁をカバー本体の裏面側の上端から下端に亘って並びに上端の内側に熱溶着され又は連続された、請求項８に記載の表紙カバーである。
この考案の請求項１０にかかるカバーは、平面視略長方形の柔軟な合成樹脂シートからなるカバー本体の表面側に平面視略長方形又は方形の第１表紙カバー部が形成され、前記カバー本体の裏面側に平面視略長方形又は方形の第２表紙カバー部が形成され、前記第１表紙カバー部は、カバー本体の長手方向の一方端から、平面視長方形又は方形の表表紙部と平面視長方形又は方形の折曲部と平面視長方形又は方形の裏表紙部とが連続して形成され、前記第２表紙カバー部は、カバー本体の長手方向の他方端から、平面視長方形又は方形の表表紙部と平面視長方形又は方形の折曲部と平面視長方形又は方形の裏表紙部が連続して形成され、第１表紙カバー部の折曲部は、カバー本体の表面側において、第１表紙カバー部の領域の中央において形成され、且つ、第２表紙カバーの折曲部は、カバー本体の裏面側において、第２表紙カバー部の領域の中央において形成され、カバー本体の表面側に、長手方向の一方端側に第１表紙カバー部に在る被覆体の表表紙又は裏表紙を入れるための平面視長方形の柔軟な合成樹脂シートからなる第１端表紙ポケット部が付設され、カバー本体の表面側に、第２表紙カバー部の折曲部の形成された領域に第１表紙カバー部に在る被覆体の裏表紙又は表表紙を入れるための第１内表紙ポケット部が付設され、カバー本体の裏面側に、長手方向の他方端側に第２表紙カバー部に在る被覆体の表表紙又は裏表紙を入れるための平面視略長方形の柔軟な合成樹脂シートからなる第２端表紙ポケット部が付設され、カバー本体の裏面側に、第１表紙カバー部の折曲部の形成された領域に第２表紙カバー部に在る被覆体の裏表紙又は表表紙又は裏表紙を入れるための第２内表紙ポケット部が付設され、第１表紙カバー部の折曲部は、第２表紙カバー部の第１内表紙ポケット部が形成された領域に位置し、第２表紙カバー部の折曲部は、第１表紙カバー部の第２内表紙ポケット部が形成された領域に位置し、第１端表紙ポケット部は、表表紙又は裏表紙の差し込み口を構成する内側縁を残して外周縁をカバー本体の表面側の一方端の内側並びに一方端に続く外周縁の内側に熱溶着され又は連続され、
第１内表紙ポケット部は、裏表紙又は表表紙の差し込み口を形成する内側縁を残し外周縁をカバー本体の表面側の上端から下端に亘って並びに上端の内側に熱溶着され又は連続され、第２端表紙ポケット部は、表表紙又は裏表紙の差し込み口を構成する内側縁を残して外周縁をカバー本体の裏面側の他方端の内側並びに他方端に続く外周縁の内側に熱溶着され又は連続され、第２内表紙ポケット部は、裏表紙又は表表紙の差し込み口を形成する内側縁を残し外周縁をカバー本体の裏面側の上端から下端に亘って並びに上端の内側に熱溶着され又は連続され、第１端表紙ポケット部の差し込み口と第１内表紙ポケット部の差し込み口とが対向し、第２端表紙ポケット部の差し込み口と第２内表紙ポケット部の差し込み口とが対向し、第１表紙カバー部に在る被覆体の表表紙又は裏表紙を第１端表紙ポケット部とカバー本体の表面側との間に挿入され、第１表紙カバー部に在る被覆体の裏表紙又は表表紙を第１内表紙ポケット部とカバー本体の表面側との間に挿入され、第２表紙カバー部に在る被覆体の表表紙又は裏表紙を第２端表紙ポケット部とカバー本体の表面側との間に挿入され、第２表紙カバー部に在る被覆体の裏表紙又は表表紙を第２内表紙ポケット部とカバー本体の表面側との間に挿入され、被覆体が装填された第１表紙カバー部の折曲部においてカバー本体の表面側から見て被覆体の綴じ部とともに谷折りして第１表紙カバー部の表表紙部と第１表紙カバー部の裏表紙部とを向き合わせるとともに、第２表紙カバー部の折曲部においてカバー本体の裏面側から見て谷折りして第２表紙カバー部の表表紙部と第２表紙カバー部の裏表紙部とを向き合わせ、Ｚ字状にし、第１表紙カバー部の表表紙部又は裏表紙部の裏面側が表紙カバーの表面となり、第２表紙カバー部の表表紙部又は裏表紙部の裏面側が表紙カバーの裏面となる、表紙カバーである。